(57)【要約】      （修正有）【課題】イヤホンを絡まずにすぐ利用できるように簡単に収納する。【解決手段】底部から開口部に向かって幅がホーン状に広がるような形状のイヤホンのイヤー部分を挿入するための切り込み２と、接続プラグ部分を挿入するための切り込み３又は孔を、本体の一部に開けてポケット状に構成されたイヤホンホルダーに、イヤホンコードの一端のイヤー部分を収納すると、イヤホンコードが切り込みを通って該イヤホンホルダーの下部に位置するイヤホンコード及びイヤホンが接続される携帯機器の収納場所４に収納されることで、イヤホンの絡まりを軽減し、イヤホンを簡単に出し入れすることができる。【選択図】図２
2018056900.tif 000002
【特許請求の範囲】
【請求項１】
板状体で構成され、底部から開口部に向かって幅がホーン状に広がるような形状のイヤホンのイヤー部分を挿入するための切り込みと、接続プラグ部分を挿入するための切り込み又は孔を有する、イヤホンホルダー用カバー。
【請求項２】
板状体で構成され、底部から開口部に向かって幅がホーン状に広がるような形状のイヤホンのイヤー部分を挿入するための切り込みと、接続プラグ部分を挿入するための切り込み又は孔を有するイヤホンホルダー用カバーを、本体の一部にポケット状に貼りつけて、イヤホンのイヤー部分と接続プラグ部分を収納するためのイヤホンホルダーを構成し、構成したイヤホンホルダーの下部に、イヤホンコード及びイヤホンが接続される携帯機器を収納するためのポケット状の収納部を有する鞄。
【請求項３】
底部から開口部に向かって幅がホーン状に広がるような形状のイヤホンのイヤー部分を挿入するための切り込みと、接続プラグ部分を挿入するための切り込み又は孔を、ポケット状の本体の一部に開けたイヤホンホルダー。
【発明の詳細な説明】
【技術分野】
【０００１】
本発明は、絡まないイヤホンの収納のためのイヤホンホルダー用カバー、イヤホンホルダー付き鞄、及びイヤホンホルダーに関するものである。
【背景技術】
【０００２】
イヤホンを絡まないように収納する収納具としては、イヤホンコードを巻き付けるタイプの収納具、イヤホンコードを巻き取って収納するタイプの収納具、イヤホンのイヤー部分と接続プラグ部分を一か所にまとめて収納し、イヤホンコードを巻かずに収納するタイプの収納具などがある。
【０００３】
しかし、イヤホンコードを巻き付けるタイプの収納具や、イヤホンコードを巻き取って収納するタイプの収納具は巻かなければ収納できず、断線の原因になり得る欠点がある。またイヤホンコードを巻かずにイヤー部分と接続プラグ部分を一か所にまとめて収納するタイプの収納具はイヤホンコードが収納できない欠点があり、特開２０１６−１１６０４９号記載の収納具においては前記のことを解決するために、イヤホン全体を収納袋に収納し、収納袋の中でイヤー部分と接続プラグ部分を一か所にまとめて収納する構造であるが、イヤー部分と接続プラグ部分の収納具は開閉式のため収納に手間がかかる欠点がある。
【先行技術文献】
【特許文献】
【０００４】
【特許文献１】特開２０１６−０７２９４４号公報
【特許文献２】特開２０１６−１１６０４９号公報
【特許文献３】実登３０１６５２１号公報
【発明の概要】
【発明が解決しようとする課題】
【０００５】
イヤホンを簡単に出し入れすると共に、イヤホンコードの絡まりをなくしたイヤホンホルダー用カバー、イヤホンホルダー付き鞄、及びイヤホンホルダーを提供する。
【課題を解決するための手段】
【０００６】
請求項１の発明は、板状体で構成され、底部から開口部に向かって幅がホーン状に広がるような形状のイヤホンのイヤー部分を挿入するための切り込みと、接続プラグ部分を挿入するための切り込み又は孔を有する、イヤホンホルダー用カバーであり、土台にポケット状に貼りつけることでイヤホンホルダーを構成する。
構成されたイヤホンホルダーの開口部からイヤホンのイヤー部分を収納すると、該イヤホンホルダー用カバーのホーン状に広がる形状の切り込みから、イヤホンコードを通し、イヤホンのイヤー部分を保持できる幅の垂直方向の切り込みにイヤホンコードが通り、イヤホンのイヤー部分は、イヤホンホルダー用カバーを取り付けたことにより構成されたイヤホンホルダーに安定して収納される。
【０００７】
請求項２の発明は、板状体で構成され、底部から開口部に向かって幅がホーン状に広がるような形状のイヤホンのイヤー部分を挿入するための切り込みと、接続プラグ部分を挿入するための切り込み又は孔を有する、イヤホンホルダー用カバーを、本体の一部にポケット状に貼りつけて、イヤホンのイヤー部分と接続プラグ部分を収納するためのイヤホンホルダーを構成し、構成したイヤホンホルダーの下部に、イヤホンコード及びイヤホンが接続される携帯機器を収納するためのポケット状の収納部を有する鞄であり、鞄にイヤホンホルダー用カバーを取り付けたことにより構成されたイヤホンホルダーに、イヤホンのイヤー部分を収納すると、イヤホンコードがホーン状に広がる形状の切り込みから前記垂直方向の切り込みを通り、イヤホンホルダーの下部にある収納部にイヤホンコードに接続されている携帯機器と共に収納される。また、イヤホンコードを携帯機器から外した状態で収納する場合、イヤホンホルダー用カバーを取り付けたことにより構成されたイヤホンホルダーのイヤホンの接続プラグ用の切り込み又は孔に、イヤホンの接続プラグを差し込んで収納することができる。
【０００８】
請求項３の発明は、底部から開口部に向かって幅がホーン状に広がるような形状のイヤホンのイヤー部分を挿入するための切り込みと、接続プラグ部分を挿入するための切り込み又は孔を、ポケット状の本体の一部に開けたイヤホンホルダーであり、ポケット状のイヤホンホルダーにイヤホンのイヤー部分を収納すると、前記垂直方向の切り込みにイヤホンコードが通り、イヤー部分はイヤホンホルダーに安定して収納される。
【発明の効果】
【０００９】
本発明のイヤホンホルダー、及びイヤホンホルダー用カバーで構成したイヤホンホルダーは、イヤホンコードの一端のイヤー部分及び接続プラグ部分を収納するものであり、イヤホンコードとイヤホンが接続される携帯機器は該イヤホンホルダーの下部に収納するため、イヤホンの絡まりを軽減することができ、イヤホンを簡単に出し入れすることができるという利点がある。
【００１０】
上部に取り付けたイヤホンホルダーに安定してイヤホンの一端のイヤー部分を収納するために、本発明のイヤホンホルダー、及びイヤホンホルダー用カバーを取り付けたことにより構成されたイヤホンホルダーは、底部から開口部に向かって幅がホーン状に広がるような形状の切り込みがあり、この切り込みの底部は、イヤホンコードを通し、イヤホンのイヤー部分を保持できる幅の垂直方向の切り込みになっており、イヤホンのイヤー部分をポケット型の挿入口から該イヤホンホルダーに収納すると、イヤホンコードが前記垂直方向の切り込みを通って該イヤホンホルダーの下部に位置するイヤホンコード及びイヤホンが接続される携帯機器の収納部に収納され、イヤホンのイヤー部分は該イヤホンホルダー内で安定した収納ができる。
【図面の簡単な説明】
【００１１】
【図１】イヤホンホルダー用カバーの例を示すものである。
【図２】イヤホンホルダー用カバーを鞄のポケットの内側に取り付け、イヤホンホルダーを構成し、イヤホンを収納している図を、ポケットの外側を透明であるかのようにして示した例である。
【図３】イヤホンホルダー用カバーをリュックサックのポケットの内側に取り付け、イヤホンホルダーを構成し、イヤホンを携帯機器に接続した状態で収納している図を示した例である。
【図４】本発明のイヤホンホルダーの例を示すものである。
【発明を実施するための形態】
【００１２】
図１において１はイヤホンホルダー用カバーである。
板状体の本体の一辺はホーン状に広がるような形状の切り込み２になっており、土台に周囲を取り付けるとイヤホンのイヤー部分を入れるためのポケット口が構成される。
このホーン状に広がるような形状の切り込み２は、開口部２aから底部２bにホーン状につながっており、底部２ｂでイヤホンコードを通し、イヤホンのイヤー部分を保持できる幅の垂直方向の切り込みとなっており、切り込みの先端部に丸みのある係止部が設けられている。
また本体の一辺のホーン状に広がるような形状の切り込み２の両側には、接続プラグ部分の挿入口を形成するための切り込み３a及び３ｂを有し、土台にポケット状に縫いつけることでイヤホンホルダーを構成する。
【００１３】
図２はイヤホンホルダー用カバーを鞄のポケットの内側に取り付けてイヤホンホルダーを構成し、イヤホンを収納している図をポケットの外側を透明であるかのようにして示した例である。
鞄５のポケットの内側にイヤホンホルダー用カバー１をミシンでポケット状に周囲を縫い付けて取り付けており、下部にはイヤホンが接続される携帯機器及びイヤホンコードの収納場所４があり、イヤホンのイヤー部分６を、イヤホンホルダー用カバー１を取り付けたことにより構成されたイヤホンホルダーの、ホーン状の切り込み２に入れると、開口部２aから底部（垂直方向の切り込み)２ｂにイヤホンコード７が通り、イヤホンのイヤー部分６はイヤホンホルダー用カバー１を取り付けたことにより構成されたイヤホンホルダー内に安定して収納される。         
イヤホンコード７をイヤホンが接続される携帯機器から外した状態で収納する場合、 イヤホンホルダー用カバー１を取り付けたことにより構成されたイヤホンホルダー内のイヤホンの接続プラグ用切り込み３a又は３ｂに接続プラグ部分８を差し込んで収納する。 
【００１４】
図３はイヤホンホルダー用カバーをリュックサックのポケットの内側に取り付けてイヤホンホルダーを構成し、イヤホンを携帯機器に接続した状態で収納している図を示した例である。
イヤホンを携帯機器９に接続した状態で収納する場合、イヤホンのイヤー部分６を、イヤホンホルダーカバー１を取り付けたことにより構成されたイヤホンホルダーのホーン状の切り込み２に入れると、開口部２aから底部（垂直方向の切り込み）２ｂにイヤホンコード７が通り、イヤホンコード７とイヤホンが接続された携帯機器９は、イヤホンホルダー用カバーを取り付けたことにより構成されたイヤホンホルダーの下部の収納部４に、収納される。
この図のような開閉型のポケットを利用したイヤホンの収納の場合、ファスナー１１等でポケットを閉じることで散らばったイヤホンコード７を収納することができる。
【００１５】
図４は本発明のイヤホンホルダーの例を示すものである。
ポケット状に構成したイヤホンホルダーのホーン状の切り込み２及び開口部２aは立体型であり、イヤホンのイヤー部分６を容易に入れることができ、イヤホンコード７は底部（垂直方向の切り込み）２ｂを通り、下部にあるイヤホンが接続される携帯機器とイヤホンコードの収納部４に収納される。また、イヤホンの接続プラグ部分は３a又は３ｂの切り込み又は孔に収納することができる。
【００１６】
本発明のイヤホンホルダー用カバー及びイヤホンホルダーは、底部から開口部に向かって幅がホーン状に広がるような形状の切り込みを維持することができる素材とし、イヤホンホルダー用カバーにおいては、イヤホンの接続される携帯機器とイヤホンコードの収納部の上部に位置する取り付け個所の土台になる物に、ミシンなどで該イヤホンホルダー用カバーの、イヤー部分挿入口であるホーン状に広がるような形状の切り込み及び接続プラグ部分挿入口を形成するための切り込みを除く周囲を、ポケット状に縫い付けて取り付ける。また、ポケット型に形成した本発明のイヤホンホルダーにおいては、前記取り付け個所に、該イヤホンホルダーのホーン状の切り込みがある面を前に向けて取り付ける。
【産業上の利用可能性】
【００１７】
本発明のイヤホンホルダー用カバーは板状体のため、かさ張らず、下部にポケットがある鞄やリュック、洋服などに、ミシン縫製で簡単に取り付けることができる(図２、図３)。また、家庭ではポケット型のイヤホンホルダーを使ったイヤホンの収納具(図４）を使うとイヤホンのイヤー部分の入れ口が広いため、より簡単にイヤホンを収納することができる。
【符号の説明】
【００１８】
１  イヤホンホルダー用カバー
２  ホーン状の切り込み（イヤー部分挿入口）
２a   開口部
２b   底部(垂直方向の切り込み）
３a  接続プラグ用切り込み又は孔
３b    同上
４  イヤホンが接続される携帯機器とイヤホンコードの収納部
５  鞄
６  イヤホンのイヤー部分
７  イヤホンコード
８  イヤホンの接続プラグ部分
９  イヤホンが接続される携帯機器
１０  リュックサック
１１  ファスナー
【図１】
2018056900.tif 000003
【図２】
2018056900.tif 000004
【図３】
2018056900.tif 000005
【図４】
2018056900.tif 000006